(57)【要約】【課題】建築物地階の完成後における湿気防止や断熱性を保ちつつ、建築物の地階部分を構築する際のコストおよび作業効率を改善する。【解決手段】建築物地階の外壁の外側全周に、対向する二枚のパネルによって所定の隙間をもつよう形成したパネル構造体を配する。このパネル構造体は、対向する二枚のパネルに対して略直角に配した複数の仕切板１４を備える（請求項１）。内部空間は最上部から最下端部に達する連通空間をもち、最下端部が所定の大きさの開口部をもって開放する（請求項２）。またパネル構造体の内部に配する仕切板は、上端部において隣接する左右空間と連通する板材と、下端部において隣接する左右空間と連通する板材とを備える場合がある（請求項３）。【選択図】    図１
2004332453.tif 000002
【特許請求の範囲】
【請求項１】
建築物地階の外壁の外側全周に、対向する二枚のパネルによって所定の隙間をもつよう形成したパネル構造体を配する建築物地階の外壁構造において、
パネル構造体は、対向する二枚のパネルに対して略直角に配した複数の仕切板を備えることを特徴とする建築物地階の外壁構造。
【請求項２】
パネル構造体は、最上部から最下端部に達する連通空間をもち、最下端部が所定の大きさの開口部をもって開放されていることを特徴とする請求項１記載の建築物地階の外壁構造。
【請求項３】
パネル構造体の内部に配する仕切板は、上端部において隣接する左右空間と連通する板材と、下端部において隣接する左右空間と連通する板材とを備えることを特徴とする請求項２または請求項３記載の建築物地階の外壁構造。
【請求項４】
パネル構造体は、上下方向に積み重ねて、または左右方向に連結して構成することを特徴とする請求項１ないし請求項３記載の建築物地階の外壁構造。
【請求項５】
パネル構造体は、土粒中の水分を内部の隙間に導入するための微小孔を備えることを特徴とする請求項１ないし請求項４記載の建築物地階の外壁構造。
【請求項６】
パネル構造体の内部空間と建築物地階の内側空間とが、外壁の適宜箇所に設けた開口を介して連通することを特徴とする請求項１ないし請求項５記載の建築物地階の外壁構造。
【発明の詳細な説明】
【０００１】
【発明の属する技術分野】
本発明は、各種建築物の地階の構造に係り、特に、地階部分の外壁の外側部分の構造に関する。
【０００２】
【従来の技術】
コンクリートによって成形する建築物の地階部分の壁（外壁）は、土砂の掘削と埋め戻しの必要があり、またコンクリートの養生に一定の時間を要することなどから、建築コストや作業効率に大きな影響を与える。
【０００３】
簡単に説明すると次の通りである。まず、建築物に地階のスペースを作るときは、図５に示すように、敷地内の土砂１を所定深度に掘り下げて型枠２を作り、型枠２にコンクリートを打ち込んで養生する。３は地階の基礎部分、４は掘削した空間部分である。
【０００４】
このような作業方法をとると、型枠２に打設したコンクリートが固まるまで所定の時間を要するため、掘削した土砂をいったん外部に捨てる作業が必要となる。掘削した土砂を作業現場のまわりに積んでおくことは出来ないからである。しかも、外壁が出来上がった後は、捨てた土砂を買い戻すなどして埋め戻す作業がある。このような理由で、地階スペースの構築には上階部分の構築以上にコストがかかる。
【０００５】
当然、作業効率も悪くなる。型枠２に打設したコンクリートの養生が終わるまで、他の作業は一切出来ないからである。型枠２は、養生後に取り外すものであるから、掘削した空間（４）を埋め戻すこともできない。
【０００６】
このような問題を根本的に解決できる従来の技術は発見できないが、完成後における地階部分の構造的な問題を解決する技術は特許出願として存在する。
【０００７】
これは、地階部分の外壁の外周を、空間をもったパネル構造体によって被覆するというものである（特開平０９−１７７０９９号）。図６に示すように、このパネル構造体５は、対向する二枚のパネル６をもち、内部空間に、外壁側と土砂側の空間を分離する仕切板７を備える構造である。
【０００８】
このパネル構造体５によれば、地階の外壁８に対する水の浸入を効果的に防止でき、地階スペースの居住性を確実に向上させることが出来る。湿気の発生や断熱性を高めることが出来るからである。
【０００９】
【発明が解決しようとする課題】
ところで、かかるパネル構造体（５）は、従来から使用されている一般の型枠（２）の内側に配設して、型枠の一部として使用することは出来ても、それ自身としては単独の型枠（２）として働くことは出来ない。
【００１０】
内部空間には、上下方向に配した仕切板（７）があるだけで、コンクリートを打設する側は、何も支持のない一枚のパネルとして独立に存在し、コンクリート打殺時の圧力には、かかる構造では抗することが出来ないからである。
【００１１】
このパネル構造体（５）は、木製等の従来一般の型枠を取り外したときにコンクリート外壁に密着して防水機能を営む点では優れていても、建築物の地階部分を構築する際のコストや作業効率を格段に改善するものではない。因みに、このパネル構造体（５）は、地階部分の湿気防止などの目的から当該出願の以前から地階部分の壁の内周面に配設するパーツとして当業者には知られていた部材である。
【００１２】
そこで、本発明の目的は、完成後における湿気防止や断熱性の改善等の観点から内部空間を有する二重構造のパネル構造体を利用しつつ、建築物の地階部分を構築する際のコストおよび作業効率をより改善する点にある。
【００１３】
【課題を解決するための手段】
前記課題を解決するため、本発明に係る建築物地階の外壁構造は、建築物地階の外壁の外側全周に、対向する二枚のパネルによって所定の隙間をもつよう形成したパネル構造体を配する建築物地階の外壁構造を技術的前提として、パネル構造体は、対向する二枚のパネルに対して略直角に配した複数の仕切板を備えるよう構成する（請求項１）。
【００１４】
前記パネル構造体は、最上部から最下端部に達する連通空間をもち、最下端部が所定の大きさの開口部をもって開放されている場合がある（請求項２）。またパネル構造体の内部に配する仕切板は、上端部において隣接する左右空間と連通する板材と、下端部において隣接する左右空間と連通する板材とを備える場合がある（請求項３）。
【００１５】
パネル構造体は、上下方向に積み重ねて、または左右方向に連結して構成する場合がある（請求項４）。またパネル構造体は、土粒中の水分を内部の隙間に導入するための微小孔を備える場合があり（請求項５）、パネル構造体の内部空間と建築物地階の内側空間とは、外壁の適宜箇所に設けた開口を介して連通させる場合がある（請求項６）。
【００１６】
【作用】
請求項１の構成によれば、内部に空間を持つパネル構造体において、対向するパネルに対して略直角に仕切板を設けることにより、表面のパネルが外圧に強く抗することが可能となる。従って、このパネル構造体は、内側のパネル面にかかる打設コンクリートの圧力にも耐え、外側のパネル面にかかる土圧にも耐えて、独立して機能する型枠材として用いることが出来る。従来一般に用いられているような木製パネルの型枠材の支持を受けなくても打設コンクリートの圧力に耐えるからである。また、外側のパネル面にかかる土圧にも耐えるから、地階部分を形成するための掘削空間はすぐに埋め戻して構わない。コンクリートの養生後に撤去する木製型枠を用いないから、コンクリートの養生最中にも埋め戻しが出来る。
【００１７】
なお請求項１のパネル構造体は、内部に空間をもつことが技術前提であるから断熱性能や湿気防止等の機能は従前の技術と同様に保持する。
【００１８】
請求項２の構成によれば、仕切板によって画成される空間は、最上部から最下端部に達する連通空間をもつため、土砂中の水分を最下端部に流下させて外部に排出することが出来る。
【００１９】
請求項３の構成は、仕切板の上下端部に、左右の空間と連通する開放箇所を設けることによって、パネル構造体の内部空間の空気を循環させることが出来るようにしたものである。内部の空気を循環流動させることにより、湿気調整や温度調整の迅速を可能とする。また内部空気の淀みを抑えることによって、パネル構造体や外壁コンクリートの劣化を可能な限り防止する。
【００２０】
請求項４の構成によれば、パネル構造体を複数の分割パーツとして施工利用することが出来る。上下方向に積み重ねても、左右方向に連結させて地階外壁を覆って良い。搬送性、施工性が格段に向上する。
【００２１】
また、とくに上下に積み重ねる構造をとると、施工上は非常に有利である。コンクリートの打設後、すぐに土砂の埋め戻しが出来るからであり、施工に時間的なロスが生じないからである。また土砂を埋め戻しながら地階部分のコンクリートを打てるため、北海道のような寒冷地においても冬期の建築作業が可能となる。寒冷地では従来、冬期にはコンクリート養生のためにビニルシートを用いた覆いを被せて内部にバーナ燃焼空気を送り込むなど、コンクリートの凍結を防止するための温度調節作業が必要であった。しかし、外側に土砂を埋め戻すことによってコンクリートの凍結は確実に防止できることから、煩雑でコストを要する冬期の養生作業を飛躍的に簡素化できるようになる。
【００２２】
請求項５によれば、外側のパネル面に設けた微小孔を介して土砂中の水分を導入排出できる。この結果、建築現場の土砂中に多量の水分を含む海岸埋め立て地や泥炭地のような場所においても、地階部分の湿気を好ましい状態に調整することが可能となる。外側のパネル面に設ける孔は、水の浸入を許容し砂粒が入らない程度の微少孔とする。孔から砂粒が入り込むと、内部空間の断熱性能等、所期の効果が損なわれるからである。
【００２３】
また請求項６によれば、建築物の地階の室内空気が、パネル構造体の内部空間の空気と交換可能となる。この結果、建築物の地階の室内空気の淀み、湿気などを確実に解消して、地階の室内空気を常時新鮮に保つことが出来、居住性を高めることが出来る。
【００２４】
また請求項６の構造によって建築物の地階は、夏期には外気温よりも温度の低い地熱をパネル構造体を介して室内に取り入れ、冬期には外気温よりも温度の高い地熱をパネル構造体を介して室内に取り入れることが出来るため、暖冷房効率は非常に良い。しかも、このような地階構造を利用して建築物全体の暖冷房を地階スペースにおいて集約的に行うならば、建物全体の暖冷房エネルギーも格段に省力化することが出来る。
【００２５】
【発明の実施の形態】
図１〜図３は、本発明に係るパネル構造体を例示するものである。このパネル構造体１０は、対向して設けた二枚の表面パネル１１、１２と、この表面パネル１１、１２に対して略直角に設けた複数枚の仕切板１４とを備えてなる。
【００２６】
仕切板１４は、例えば、略均等間隔をもって平行に配列し、パネル構造体１０の内部空間１５を適当な数に画成する。また仕切板１４の端縁は、二枚の表面パネル１１、１２にそれぞれ密着するよう配することが望ましい。
【００２７】
この仕切板１４は、その上端部を一方の表面パネル１１の上端部に揃えて配設するものと、下端部を他方の表面パネル１２の下端部に揃えて配設するものとがあり、これを例えば交互に配して、パネル構造体１０の内部の空気が、仕切られた空間の上下両端部において隣接する空間に移動できるように、つまり全体として自由に流動できるようにしておくことが望ましい。空気の流れを、図２中矢印Ｘとして示した。図２中、符号Ｑは、最上部に配することがある蓋体である。
【００２８】
内部の空気（Ｘ）を自由流動させるのは、内部空間１５に入り込む水分（地下水等）によって空気が汚れるのを防止し、また同時に断熱性能を常時好ましい状態に維持するためである。このため、土砂側の表面パネル１１の適宜箇所、例えば左右両端部の上端近傍に、内部空気を外気と交換可能とするための開口（吸排気口）１８を設けておくことが望ましい。この開口１８は、図４に示すように地面Ｇの近傍に位置して、内部空間１５と外気を連通させる。もちろん開口１８には、適当デザインのグリル部材およびフィルター部材を配し、内部空間１５への塵芥の浸入を防止することが望まれる。
【００２９】
このパネル構造体１０は、そのまま独立した型枠材としての利用を可能とするため、表面パネル１１、１２の肉厚は、コンクリート打殺時の圧力と土圧に耐える程度の径寸、例えば１０〜３０ｍｍの範囲に設定する。コンクリート打殺時の圧力に耐えるには肉厚を８〜１０ｍｍ前後に設定しておけばよいので、それ以上の数値は主として建築現場の環境、例えば地下深度や土圧に応じて決定する。
【００３０】
また、二枚の表面パネル１１、１２の離隔寸法（内部空間１５の幅寸法；図３中符号Ｗで示す）は、例えば５〜１５ｃｍの範囲に設定することが望ましい。５〜１５ｃｍの範囲に設定しておけば、地下部分から浸入する水分量が多くても十分に排水の対応が出来るからである。この離隔寸法（Ｗ）が不足すると、地下部分から浸入する水分量が多い場合に、毛細管現象等によりコンクリート外壁まで水が到達し、地階部分の外壁を汚損する可能性がある。水によるコンクリート外壁の影響は少なくない。コンクリート外壁の経時劣化の大きな要因となるからである。
【００３１】
パネル構造体１０は、好ましくは例えば図４に示すように、上下に積み上げて用いる。ひとつのパネル構造体１０を小さくして、搬送性や作業効率を高めるためである。左右に連結しても作用効果は同じである。符号１９は、連結部分のラインである。このライン１９の部分は、若干の隙間があっても構わない。土砂に含まれる水を内部空間１５に導入する微少空隙になるからである。もちろん、ライン１９の隙間をシールしても好い。土砂側の表面パネル１１に土砂に含まれる水を内部空間１５に導入する微少空隙を設ければ作用効果は同じになるからである。尚、図４において符号Ｒ１は建物の外壁材、Ｒ２は建物の内壁材、Ｒ３は一階の床材、Ｒ４は換気用または断熱材配置用の空間である。Ｂは、地階の基礎部分である。
【００３２】
また図４において、符号４０は、外壁８の適宜箇所に設けた連通管である（図２、図３にも示す）。この連通管４０は、地階の室内空気とパネル構造体１０の内部空間の空気とを交換するものである。パイプ材（４０）を用いなくても、外壁８の完成後にドリル等を用いて連通孔（４０）を穿設しても空気の交換は可能であるが、コンクリート打設前にパイプ材（４０）を配設して完成後にそのまま使用する方が、作業効率は良い。連通管４０と開口１８により、地下の室内空気はパネル内空間（１５）を介していつも新鮮に保つことができる。
【００３３】
従って、かかるパネル構造体１０によれば、表面パネル１１、１２に対して略直角な仕切板１４が複数ある結果、それ自体を型枠材として独立機能させることが可能となり、コンクリート打設後にも外壁の外側にある型枠（パネル構造体１０）を取り外す必要がない。
【００３４】
このため、地階部分を構築する際には、敷地地面の掘削箇所にパネル構造体１０を利用した型枠を形成し、コンクリートを打設する前から当該箇所を埋め戻してもよい。速やかな土砂の埋め戻しが可能なため、大型トラックを用いた掘削土砂の搬出および再搬入の必要がなくなり、トラックの出入りによる近隣住民への迷惑を解消し、搬送搬入のコストを低減し、作業効率を格段に向上させることが出来る。
【００３５】
また、掘削土砂をすぐに埋め戻すことが出来るため、打設コンクリートの養生に要した従来の煩わしい作業（シート被覆や強制暖房等）を必要とせず、厳冬期の工事を進めることが出来る。
【００３６】
仕切板１４によって画成される空間は、最上部から最下端部に直線的に達するため、泥炭地のように土砂中の水が多い場合でも水を最下端部に流下させて外部に排出することが出来る。仕切板１４の上下端部は、隣接する画成空間と連通するように構成してあるため、内部空気は自由に循環流動することが可能となり、地階スペースの湿気調整、温度調整、劣化防止に貢献する。内部空間の空気は、二つの開口（吸排気口）１８によって常に新鮮に保たれる。
【００３７】
また、パネル構造体１０を上下（左右）に連結すれば、型枠の構築が容易となるし、土砂の埋め戻し作業が効率化するなど作業効率が高まる。また連結部分の隙間（ライン１９）から土砂中の水を内部空間に導入して、地下部分の外壁表面を水の作用から確実に保護することが出来る。
【００３８】
尚、本発明に係るパネル構造体（１０）は前記説明のものに限定されない。例えば、仕切板（１４）は、雨水や伏流水など土砂中の水の排水の必要がない箇所では必ずしも地面に対して垂直になるよう配する必要はない。例えば鉛直に対して直角となるような配設であっても、仕切板（１４）は二枚の表面パネル１１、１２の強度を高め、コンクリート打殺時の圧力に耐える機能を実現するからである。
【００３９】
また、仕切板（１４）の上端部および下端部の位置を千鳥状に交互に変化させて配さなくても、内部空気がパネル構造体（１０）の内部を流動できる構造であればよい。例えば、仕切板（１４）が隣接する空間と連通している限り、上端部または下端部において仕切板（１４）の端末位置を揃えて配しても構わない。また仕切板（１４）の上端部および下端部が、表面パネル１１、１２の上端部および下端部に揃えて設けてあっても、内部空気を循環させるための開口が仕切板（１４）に設けてあるなら、同一の作用効果を奏することが出来る。
【００４０】
パネル構造体（１０）に用いるパネルの材質は、表面を木製とするのは好ましくないが、それ以外であれば特に限定されない。例えば、廃プラスチックを利用した樹脂パネルでも十分な強度が保てるなら使用できる。廃プラスチックはコストが安いので、十分な肉厚（１ｃｍ以上）をもたせれば好適な材料となる。鋼板等の金属板、コンクリートボード、表面を肉厚に樹脂加工した木製板や石膏ボードなども使用することが出来る。
【００４１】
パネル構造体（１０）は、壁面全体を覆うような一体型の大型パネル材を用いる必要はなく、上下方向の積み上げによる構築でも、隣接する左右同士の結合による構築でもよいし、これらを組み合わせて構築しても構わない。
【００４２】
【発明の効果】
以上説明したように、本発明に係る建築物地階の外壁構造によれば、完成後における湿気防止や断熱性を保ちつつ、建築物の地階部分を構築する際のコスト、および作業効率を改善することが可能となる。
【図面の簡単な説明】
【図１】本発明に係るパネル構造体を例示する斜視図である。
【図２】本発明に係るパネル構造体の内部の空気の流れを例示する図である。
【図３】本発明に係るパネル構造体を平面からみた場合を例示する図である。
【図４】本発明に係る建築物地階の外壁構造を例示する断面図である。
【図５】地階に居室を作るときの一般的な工事過程を示す図である。
【図６】
従来のパネル構造体を例示する図である。
【符号の説明】
８  外壁
１０  パネル構造体
１１、１２  表面パネル
１４  仕切板
１５  内部空間
１８  開口（吸排気口）
１９  連結部分のライン
４０  連通管
Ｘ  空気の流れ
Ｇ  地面
Ｗ  表面パネルの離隔寸法（パネル構造体１０の幅寸法）
【図１】
2004332453.tif 000003
【図２】
2004332453.tif 000004
【図３】
2004332453.tif 000005
【図４】
2004332453.tif 000006
【図５】
2004332453.tif 000007
【図６】
2004332453.tif 000008